(57)【要約】  本発明はネットワークアクセス方法および装置を開示する。該方法は、ＵＥが３ＧＰＰアクセスネットワークによって送信されたＷＬＡＮアクセス補助情報を受信すること、ＵＥが該情報に基づいてＷＬＡＮ無線信号の品質を測定してアクセス判定を行い、判定結果を取得すること、ＵＥが判定結果に基づいてＷＬＡＮにアクセスすることを含む。本発明は該ＵＥが該ＷＬＡＮにアクセスして後続のデータ共同伝送および／またはサービスを取得することを加速することができ、ユーザーエクスペリエンスを向上させる。【選択図】図１
2015518682.tif 000002
【特許請求の範囲】
【請求項１】
ユーザ装置ＵＥは第３世代パートナーシッププロジェクト３ＧＰＰアクセスネットワークによって送信された無線ローカルエリアネットワークＷＬＡＮアクセス補助情報を受信すること、
前記ＵＥは前記ＷＬＡＮアクセス補助情報に基づいて測定およびアクセス判定を行い、判定結果を取得すること、
前記ＵＥは前記判定結果に基づいてＷＬＡＮにアクセスすることを含むネットワークアクセス方法。
【請求項２】
前記ＵＥが３ＧＰＰアクセスネットワークによって送信されたＷＬＡＮアクセス補助情報を受信することは、前記ＵＥがシステムメッセージまたは専用シグナリングにより前記３ＧＰＰアクセスネットワークによって送信されたＷＬＡＮアクセス補助情報を受信することを含む請求項１に記載の方法。
【請求項３】
前記ＵＥは前記ＷＬＡＮアクセス補助情報に基づいて測定およびアクセス判定を行うことは、
前記ＵＥは前記ＷＬＡＮアクセス補助情報に基づいて前記ＷＬＡＮの信号品質を測定すること、
前記ＵＥは前記ＷＬＡＮの信号品質および取得したＷＬＡＮアクセス条件に基づいてアクセス判定を行い、前記判定結果を得ることを含む請求項１に記載の方法。
【請求項４】
前記ＷＬＡＮアクセス条件はネットワーク側により前記ＵＥに設定されまたは前記ＵＥが既にプリセットされ、前記ＷＬＡＮアクセス条件は、前記ＵＥが、取得した情報アイテムに基づいて総合ソートを行った後判定して得られ、そのうち前記情報アイテムは、前記ＷＬＡＮの信号品質測定結果、ＷＬＡＮ負荷情報、ＷＬＡＮアクセスポイント優先度の中の少なくとも一つを含む請求項３に記載の方法。
【請求項５】
前記３ＧＰＰアクセスネットワークは、ロングタームエボリューションＬＴＥネットワーク、汎用モバイル通信システムＵＭＴＳネットワーク、グローバルモバイル通信ＧＳＭネットワークの中の一つを含む請求項１〜４のいずれかに記載の方法。
【請求項６】
前記ＷＬＡＮアクセス補助情報は、前記ＷＬＡＮの基本サービスセットタイプ、前記ＷＬＡＮの基本サービスセット識別子、前記ＷＬＡＮのサービスセット識別子、前記ＵＥの走査タイプ、前記ＵＥがアクティブな走査を実行する時プローブフレームを送信する前のプローブ遅延、前記ＵＥが基本サービスセットを走査する時検査するチャネルリスト、前記ＵＥが各チャネルを走査する時かかる最短時間、前記ＵＥが各チャネルを走査する時かかる最長時間、ＷＬＡＮ負荷情報、ＷＬＡＮアクセスポイントメディアアクセス制御アドレス、ＷＬＡＮアクセスポイント優先度の中の少なくとも一つを含む請求項１〜４のいずれかに記載の方法。
【請求項７】
ユーザ装置ＵＥに応用され、
第３世代パートナーシッププロジェクト３ＧＰＰアクセスネットワークによって送信された無線ローカルエリアネットワークＷＬＡＮアクセス補助情報を受信するように設置される受信モジュール、
前記ＷＬＡＮアクセス補助情報に基づいて測定およびアクセス判定を行い、判定結果を取得するように設置される処理モジュール、および
前記判定結果に基づいて前記ＷＬＡＮにアクセスするように設置されるアクセスモジュールを含むネットワークアクセス装置。
【請求項８】
前記受信モジュールは、システムメッセージまたは専用シグナリングにより前記３ＧＰＰアクセスネットワークによって送信されたＷＬＡＮアクセス補助情報を受信するように設置される受信サブモジュールを含む請求項７に記載の装置。
【請求項９】
前記処理モジュールは、
前記ＷＬＡＮアクセス補助情報に基づいて前記ＷＬＡＮの信号品質を測定するように設置される測定サブモジュール、および
前記ＷＬＡＮの信号品質および取得したＷＬＡＮアクセス条件に基づいてアクセス判定を行い、前記判定結果を取得するように設置される判定サブモジュールを含む請求項７に記載の装置。
【請求項１０】
前記ＷＬＡＮアクセス条件は、ネットワーク側により前記ＵＥに設定されまたは前記ＵＥがすでにプリセットされ、前記ＷＬＡＮアクセス条件は、前記ＵＥが、取得した情報アイテムに基づいて総合ソートを行った後判定して得られ、そのうち前記情報アイテムは、前記ＷＬＡＮの信号品質測定結果、ＷＬＡＮ負荷情報、ＷＬＡＮアクセスポイント優先度の中の少なくとも一つを含む請求項９に記載の装置。
【発明の詳細な説明】
【技術分野】
【０００１】
本発明は通信領域に関し、具体的には、ネットワークアクセス方法および装置に関する。
【背景技術】
【０００２】
無線通信技術およびプロトコル標準の進化につれて、移動パケットサービスは驚異的な発展を遂げ、単一の端末のデータスループットは向上している。ロングタームエボリューション（Ｌｏｎｇ  Ｔｅｒｍ  Ｅｖｏｌｕｔｉｏｎ、ＬＴＥと略称される）システムを例として、２０Ｍ帯域幅内に下りリンクの最大レートが１００Ｍｂｐｓであるデータ伝送をバックアップすることができ、後続のＬＴＥアドバンスト（ＬＴＥ  Ａｄｖａｎｃｅｄ）システムにおいて、データの伝送レートはさらに向上し、ひいては１Ｇｂｐｓに達することができる。
【０００３】
端末データサービスの拡張式成長は、従来のネットワークリソースがどんどん無力になり、特に次世代通信技術（例えば３Ｇ、ＬＴＥ）がまだ幅広く展開できない場合、その結果、ユーザレートおよびストリームニーズを満たすことができなくなり、ユーザーエクスペリエンスは悪くなる。どのようにこの状況を予防および変更するかは、オペレータが配慮しなければならない問題であり、一方では、新技術の普及およびネットワーク展開を加速する必要があり、他方では、従来のネットワークおよび技術を強化することにより、迅速にネットワークパフォーマンスを向上させる目的に達することを希望している。周知のように、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、  ３ＧＰＰと略称される）が提供する無線ネットワーク技術以外、現在普及して応用されている無線ローカルエリアネットワーク（Ｗｉｒｅｌｅｓｓ  Ｌｏｃａｌ  Ａｒｅａ  Ｎｅｔｗｏｒｋ、ＷＬＡＮと略称される）、特にＩＥＥＥ８０２．１１標準に基づく無線ローカルエリアネットワークはすでにホーム、企業ひいてはインタネットにおいて幅広くホットスポットアクセスのカバーに応用されている。そのうち、ＷＩＦＩアライアンス（Ｗｉ−Ｆｉ  Ａｌｌｉａｎｃｅ）が提案した技術規範の応用は最も広く、従って、実際に、ＷＩＦＩネットワークは常にＩＥＥＥ  ８０２．１１標準基づくＷＬＡＮと同一視される。
【０００４】
この前提で、各オペレータおよび会社はＷＬＡＮと従来の３ＧＰＰアクセスネットワークを統合して、共同伝送を達成し、負荷ストリーミングおよびネットワークパフォーマンスの向上の目的を達することを提案した。たとえば、早期バージョンの標準中において、３ＧＰＰはすでに３ＧＰＰアクセスネットワークとＷＬＡＮのインターワーキング（Ｉｎｔｅｒｗｏｒｋｉｎｇ）の関連プロトコルを作成し、該インターワーキング構造はオペレータが持つ独立な３ＧＰＰアクセスネットワークおよび独立で完全なＷＬＡＮに依存し、２つのネットワークのデータフローはいずれも３ＧＰＰコアネットワークのネットワークエレメントを通過する必要がある。さらに、例えばインテル（Ｉｎｔｅｌ）が提案したキャリアアグリゲーションに類似するネットワーク統合プログラムがあり、該統合構造下で３ＧＰＰとＷＬＡＮは依然として２つの独立なアクセスネットワークであり、しかしながらＷＬＡＮは従来の３ＧＰＰアクセスネットワークにおけるアクセスネットワークとユーザ端末（Ｕｓｅｒ  Ｅｑｕｉｐｍｅｎｔ、  ＵＥと略称される）の間に伝送している一つのデータ接続のみとして存在し、アクセスネットワークのＵＥへ主な管理および可能な一部ユーザデータは３ＧＰＰアクセスネットワークに基づく接続上で伝送される。ここから分かるように、どの共同伝送のフログラム下でも、ＵＥはそれぞれ３ＧＰＰおよびＷＬＡＮの２つの独立なアクセスネットワーク（３ＧＰＰアクセスネットワークのネットワークエレメントおよびＷＬＡＮアクセスポイント）にアクセスする必要がある。
【０００５】
しかしながら、関連技術中において、ＵＥはＷＬＡＮ帯域を走査して、使用可能なＷＬＡＮがあるかどうかを検知する必要があり、これによってＵＥがＷＬＡＮにアクセスする時間は長くなり（従来、ＵＥが３ＧＰＰアクセスネットワークにアクセスする時間はミリ秒レベルであり、ＷＬＡＮにアクセスする時間は秒レベルである）、さらに３ＧＰＰセルに常駐／接続しているＵＥは適用なＷＬＡＮ（該適用なＷＬＡＮは具体的に３ＧＰＰアクセスネットワークを展開するオペレータが展開したＷＬＡＮ、または言い換えれば、３ＧＰＰアクセスネットワークがそれとデータ共同伝送等のサービスを行うことができるＷＬＡＮを指す）にアクセスして後続のデータ共同伝送および／または他のサービスを取得することができるように比較的長い時間をかける必要があり、従ってユーザーエクスペリエンスが高くない。
【発明の概要】
【発明が解決しようとする課題】
【０００６】
本発明の実施例はネットワークアクセス方法および装置を提供しており、３ＧＰＰセルに常駐／接続しているＵＥはＷＬＡＮ帯域を走査して、使用可能なＷＬＡＮがあるかどうかを検知する必要があり、従って該ＵＥは適用なＷＬＡＮにアクセスして後続のデータ共同伝送および／または他のサービスを取得することができるように比較的長い時間をかける必要があり、従ってユーザーエクスペリエンスが高くないという問題を少なくとも解決する。
【課題を解決するための手段】
【０００７】
本発明の実施例はネットワークアクセス方法を提供する。本発明の実施例によるネットワークアクセス方法は、ＵＥが３ＧＰＰアクセスネットワークによって送信されたＷＬＡＮアクセス補助情報を受信すること、ＵＥが該情報に基づいてＷＬＡＮ無線信号の品質を測定してアクセス判定を行い、判定結果を取得すること、ＵＥが判定結果に基づいてＷＬＡＮにアクセスすることを含む。
【０００８】
好ましくは、ＵＥが３ＧＰＰアクセスネットワークの情報を受信することは、ＵＥはシステムメッセージまたは専用シグナリングにより３ＧＰＰアクセスネットワークによって送信された情報を受信することを含む。
【０００９】
好ましくは、ＵＥがＷＬＡＮアクセス補助情報に基づいて測定およびアクセス判定を行うことは、ＵＥがＷＬＡＮアクセス補助情報に基づいてＷＬＡＮの信号品質を測定すること、ＵＥがＷＬＡＮの信号品質および取得したＷＬＡＮアクセス条件に基づいてアクセス判定を行い、判定結果を取得することを含む。
【００１０】
好ましくは、ＷＬＡＮアクセス条件はネットワーク側によりＵＥに設定されまたはＵＥがすでにプリセットされ、ＷＬＡＮアクセス条件はＵＥが取得した情報アイテムに基づいて総合ソートを行った後判定して得られ、そのうち情報アイテムは、ＷＬＡＮの信号品質測定結果、ＷＬＡＮ負荷情報、ＷＬＡＮアクセスポイント優先度の少なくとも一つを含む。
【００１１】
好ましくは、３ＧＰＰアクセスネットワークは、ＬＴＥネットワーク、ＵＭＴＳネットワーク、グローバルモバイル通信ＧＳＭネットワークの一つを含む。
【００１２】
好ましくは、ＷＬＡＮの基本サービスセットタイプ、ＷＬＡＮの基本サービスセット識別子、ＷＬＡＮのサービスセット識別子、ＵＥの走査タイプ、ＵＥがアクティブな走査を実行する時プローブフレームを送信する前のプローブ遅延、ＵＥが基本サービスセットを走査する時検査するチャネルリスト、ＵＥが各チャネルを走査する時かかる最短時間、ＵＥが各チャネルを走査する時かかる最長時間、ＷＬＡＮ負荷情報、ＷＬＡＮアクセスポイントメディアアクセス制御アドレス、ＷＬＡＮアクセスポイント優先度の少なくとも一つを含む。
【００１３】
本発明の実施例は、ネットワークアクセス装置を提供する。本発明の実施例によるネットワークアクセス装置は、ＵＥに応用されてもよく、３ＧＰＰアクセスネットワークによって送信されたＷＬＡＮアクセス補助情報を受信するように設置される受信モジュール、ＷＬＡＮアクセス補助情報に基づいて測定およびアクセス判定を行い、判定結果を取得するように設置される処理モジュール、判定結果に基づきＷＬＡＮにアクセスするように設置されるアクセスモジュールを含む。
【００１４】
好ましくは、受信モジュールは、システムメッセージまたは専用シグナリングにより３ＧＰＰアクセスネットワークによって送信された情報を受信するように設置される受信サブモジュールを含む。
【００１５】
好ましくは、処理モジュールは、ＷＬＡＮアクセス補助情報に基づいてＷＬＡＮの信号品質を測定するように設置される測定サブモジュール、ＷＬＡＮの信号品質および取得したＷＬＡＮアクセス条件に基づいてアクセス判定を行い、判定結果を取得するように設置される判定サブモジュールを含む。
【００１６】
好ましくは、ＷＬＡＮアクセス条件はネットワーク側によりＵＥに設定されまたはＵＥがすでにプリセットされ、ＷＬＡＮアクセス条件はＵＥが取得した情報アイテムに基づいて総合ソートを行った後判定して得られ、そのうち情報アイテムはＷＬＡＮの信号品質測定結果、ＷＬＡＮ負荷情報、ＷＬＡＮアクセスポイント優先度の少なくとも一つを含む。
【発明の効果】
【００１７】
本発明の実施例は３ＧＰＰアクセスネットワークによりＵＥに該ＷＬＡＮにアクセスするための情報を提供し、該ＵＥが該ＷＬＡＮにアクセスして後続のデータ共同伝送および／またはサービスを取得することを加速して、ユーザーエクスペリエンスを向上させることができる。
【図面の簡単な説明】
【００１８】
ここでは説明する図面は本発明へのさらなる理解を提供し、本願の一部分を構成し、本発明の模式的実施例およびその説明は本発明を解釈するためのものであり、本発明への不当制限にならない。図面中において、
【図１】図１は、本発明の実施例によるネットワークアクセス方法のフローチャートである。
【図２】図２は、本発明の好ましい実施例一によるインタラクションフローチャートである。
【図３】図３は、本発明の好ましい実施例二によるインタラクションフローチャートである。
【図４】図４は、本発明の好ましい実施例三によるインタラクションフローチャートである。
【図５】図５は、本発明の実施例によるネットワークアクセス装置の構造ブロック図である。
【図６】図６は、本発明の好ましい実施例によるネットワークアクセス装置の構造ブロック図一である。
【図７】図７は、本発明の好ましい実施例によるネットワークアクセス装置の構造ブロック図二である。
【発明を実施するための形態】
【００１９】
以下、図面を参照しながら本発明の実施例を詳細に説明する。ただし、衝突がない場合、本願中の実施例および実施例における特徴は互いに組み合わせることができる。
以下の実施例中における重複データ処理方法はサーバ上に応用されてもよく、該サーバは重複データの処理を行うことの専用とされてもよく、もちろん、１組のサーバ上に応用されてもよい。または、サーバ中における一つのモジュールとして他の機能を実行するサーバとともに共同で使われる。
【００２０】
図１は、本発明の実施例によるネットワークアクセス方法のフローチャートであり、図１に示すように、以下のステップＳ１０２〜ステップＳ１０４を含む。
【００２１】
ステップＳ１０２：ＵＥが３ＧＰＰアクセスネットワークによって送信されたＷＬＡＮアクセス補助情報を受信する。
【００２２】
ステップＳ１０４：ＵＥがＷＬＡＮアクセス補助情報に基づいて測定およびアクセス判定を行い、判定結果を取得する。
【００２３】
ステップＳ１０６：ＵＥが判定結果に基づいてＷＬＡＮにアクセスする。
【００２４】
関連技術中において、３ＧＰＰアクセスネットワークに常駐／接続しているＵＥはＷＬＡＮ帯域を走査して、使用可能なＷＬＡＮがあるかどうかをプローブする必要があり、従って該ＵＥは適用なＷＬＡＮにアクセスして後続のデータ共同伝送および／または他のサービスを取得することができるように比較的長い時間をかける必要があり、従ってユーザーエクスペリエンスが高くない。本発明の実施例中において、３ＧＰＰアクセスネットワークによりＵＥに該ＷＬＡＮにアクセスするためのＷＬＡＮアクセス補助情報を提供し、該ＵＥが該ＷＬＡＮにアクセスして後続のデータ共同伝送および／またはサービスを取得することを加速し、ユーザーエクスペリエンスを向上させることができる。
【００２５】
ただし、上記情報は、ＵＥが無線ローカルエリアネットワークＷＬＡＮにアクセスする時間を短くするための情報（つまりＵＥが迅速に指定ＷＬＡＮにアクセスすることを補助する情報）であってもよい。
【００２６】
ただし、上記情報に対して、ＵＥはシステムメッセージまたは専用シグナリングにより受信を行ことができる。かつ、上記情報は、ＷＬＡＮの基本サービスセットタイプ（Ｂａｓｉｃ  Ｓｅｒｖｉｃｅ  Ｓｅｔ  Ｔｙｐｅ、  ＢＳＳＴｙｐｅと略称される）、ＷＬＡＮの基本サービスセット識別子（Ｂａｓｉｃ  Ｓｅｒｖｉｃｅ  Ｓｅｔ  Ｉｄｅｎｔｉｆｉｅｒ、  ＢＳＳＩＤと略称される）、ＷＬＡＮのサービスセット識別子（Ｓｅｒｖｉｃｅ  Ｓｅｔ  Ｉｄｅｎｔｉｆｉｅｒ、  ＳＳＩＤと略称される）、ＵＥの走査タイプ（ＳｃａｎＴｙｐｅ）、ＵＥがアクティブな走査を実行する時プローブフレームを送信する前のプローブ遅延（ＰｒｏｂｅＤｅｌａｙ）、ＵＥが基本サービスセットを走査する時検査するチャネルリスト（ＣｈａｎｎｅｌＬｉｓｔ）、ＵＥが各チャネルを走査する時かかる最短時間（ＭｉｎＣｈａｎｎｅｌＴｉｍｅ）、ＵＥが各チャネルを走査する時かかる最長時間（ＭａｘＣｈａｎｎｅｌＴｉｍｅ）、ＷＬＡＮ負荷情報、ＷＬＡＮアクセスポイントメディアアクセス制御アドレス、ＷＬＡＮアクセスポイント優先度の少なくとも一つを含む。
【００２７】
本発明は、２つの実例をさらに提供しており、該実例は、ＵＥがＷＬＡＮにアクセスする前の決定プロセスを記述し、具体的な記述は以下の通りである。
実施例１
ＵＥは情報に基づいてＷＬＡＮの信号品質を測定し、ＵＥは３ＧＰＰアクセスネットワークとの間の伝送リンクにより測定結果を報告し、ＵＥは３ＧＰＰアクセスネットワークからの、ＵＥがＷＬＡＮにアクセスすることを指示するための指示情報を受信する。そのうち、該指示情報は、３ＧＰＰアクセスネットワークは該測定結果が一定の測定閾値を満たすと判断した後、送信を決定するものであり、該決定はＷＬＡＮの負荷状況、ＷＬＡＮアクセスポイント優先度等の情報を同時に配慮した可能性がある。
実施例２
ＵＥは情報に基づいてＷＬＡＮの信号品質を測定し、ＵＥは測定結果およびＷＬＡＮ負荷状況等の選択的情報アイテムが知ったＷＬＡＮアクセス条件を満たすことを確定し、ＵＥはＷＬＡＮにアクセスする操作を実行する。本実例はＵＥが直接に確定してＷＬＡＮに接続し、その達成方式はシンプルで迅速である。
【００２８】
さらに、上記３ＧＰＰアクセスネットワークは、ＬＴＥネットワーク、ＵＭＴＳネットワーク、ＧＳＭネットワークの一つを含む。かつ、該３ＧＰＰアクセスネットワーク中におけるネットワークエレメントは、３ＧＰＰの異なる無線アクセス技術（Ｒａｄｉｏ  Ａｃｃｅｓｓ  Ｔｅｃｈｎｏｌｏｇｙ、ＲＡＴと略称される）のアクセスネットワークのネットワークエレメントノードであってもよく、たとえば、ＬＴＥネットワーク中において進化型基地局（Ｅｖｏｌｖｅｄ  Ｎｏｄｅ  Ｂ、  ｅＮＢと略称される）を指し、ＵＭＴＳネットワーク中において無線ネットワーク制御器（Ｒａｄｉｏ  Ｎｅｔｗｏｒｋ  Ｃｏｎｔｒｏｌｌｅｒ、ＲＮＣと略称される）および基地局（Ｎｏｄｅ  Ｂ）（無線ネットワークサブシステムＲＮＳと総称する）を指し、ＧＳＭネットワーク中において基地局制御器（Ｂａｓｅ  Ｓｔａｔｉｏｎ  Ｃｏｎｔｒｏｌｌｅｒ、ＢＳＣと略称される）および基地局（Ｂａｓｅ  Ｔｒａｎｓｃｅｉｖｅｒ  Ｓｔａｔｉｏｎ、ＢＴＳと略称される）を指す。ただし、上記ＢＳＣおよびＢＴＳは基地局システムＢＳＳと総称してもよい。
【００２９】
上記実施例は、ユーザ端末が幅広くて、目的のない走査を行い、ＷＬＡＮ全帯域信号をプローブしまたはあるアクセスが不適切なＷＬＡＮ（つまり３ＧＰＰアクセスネットワークと、共通オペレータが展開したＷＬＡＮに属しない）に接続試行することを避け、これにより端末が適当なＷＬＡＮにアクセスすることに必要な時間を大幅に節約し、後続のマルチネットワーク共同伝送をより迅速に実行することができる。
【００３０】
以下、本発明の好ましい実施例の達成過程を詳細に記述する。
好ましい実施例一
本好ましい実施例一は、３ＧＰＰアクセスネットワークがシステムメッセージにより情報を送信することを記述し、ＵＥ側にサービスニーズがある時、自体は情報中に指定されるＷＬＡＮ信号の測定を行い、かつアクセス判定を行い、判定結果がＷＬＡＮアクセス条件を満たす時、該ＷＬＡＮにアクセスする。
【００３１】
図２は、本発明の好ましい実施例一によるインタラクションフローチャートであり、図２に示すように、ＵＥは３ＧＰＰおよびＷＬＡＮ機能をバックアップマルチモード携帯電話であり、３ＧＰＰセルに常駐／接続していることに基づいてそれをアイドル状態ＵＥおよび接続状態ＵＥに分けることができ、３ＧＰＰアクセスネットワークのネットワークエレメントの無線信号のカバー領域内には同一のオペレータが展開したＷＬＡＮアクセスポイントネットワークエレメント（共同基地局または遠隔）があり、本好ましい実施例一は以下のステップＳ２０２〜ステップＳ２０８を含む。
【００３２】
ステップＳ２０２：３ＧＰＰアクセスネットワークのネットワークエレメントが放送するシステムメッセージにはＵＥが迅速に指定ＷＬＡＮ（図におけるＷＬＡＮアクセスポイントに相当し、複数ある可能性がある）にアクセスすることを補助する情報、例えばＢＳＳＩＤおよびＣｈａｎｎｅｌＬｉｓｔ等を含み、システムメッセージはアイドル状態ＵＥおよび接続状態ＵＥに受信されることができる。
【００３３】
ステップＳ２０４：接続状態ＵＥおよびアイドル状態ＵＥはいずれも３ＧＰＰアクセスネットワークのネットワークエレメントが持続して放送するシステムメッセージを受信して読み込むことができ、ＵＥはサービスニーズがある時、メッセージ中に指示されるＷＬＡＮ信号を測定することができる。
【００３４】
ステップＳ２０６：ＵＥはあるＷＬＡＮアクセスポイントネットワークがＷＬＡＮアクセス条件を満たすと判断する。
【００３５】
ＵＥはＷＬＡＮアクセス条件を知ることは、２種の方式があり、つまり、ＵＥ自体は一つのＷＬＡＮアクセス条件（例えばＷＬＡＮ信号品質しきい値）を既にプリセットし、または、該条件はアクセスネットワーク側がメッセージによりＵＥに送信し、該メッセージは専用シグナリングまたはシステムメッセージであってもよく、たとえばＳ２０２に記載のＷＬＡＮ補助情報とともに同じシステムメッセージに携帯して放送されてもよい。
【００３６】
具体的に言えば、ＷＬＡＮアクセス条件値の設置は無線信号品質のみで標識する一つの閾値であってもよく、信号品質、各ＷＬＡＮアクセスポイントネットワーク負荷状況、各ＷＬＡＮアクセスポイント優先度等の情報を結合して総合ソートして判定した後確定した一つの結果であってもよい。そのうち、各ＷＬＡＮアクセスポイントネットワーク負荷状況および各ＷＬＡＮアクセスポイント優先度等の情報は、３ＧＰＰアクセスネットワークのネットワークエレメントがＵＥに送信するかどうかを決める選択的情報アイテムであり、ＷＬＡＮ補助情報または他の無線メッセージ中に携帯されてもよい。
【００３７】
ステップＳ２０８：従来のＷＬＡＮアクセスフローを利用して、ＵＥとＷＬＡＮアクセスポイントの間に関連を作成する。
好ましい実施例二
図３は、本発明の好ましい実施例二によるインタラクションフローチャートであり、図３に示すように、ＵＥは３ＧＰＰセルにアクセスした、３ＧＰＰおよびＷＬＡＮ機能をバックアップするマルチモード携帯電話であり、３ＧＰＰアクセスネットワークのネットワークエレメントの無線信号カバー領域内にはＷＬＡＮアクセスポイントネットワークエレメントがある。本好ましい実施例二は以下のステップＳ３０２〜ステップＳ３１０を含む。
【００３８】
ステップＳ３０２：該３ＧＰＰアクセスネットワークのネットワークエレメントはたとえばデータストリーミング等のニーズがある時、該ネットワークエレメントはＵＥが迅速に指定ＷＬＡＮにアクセスすることを補助できる情報、例えば、ＳＳＩＤおよびＣｈａｎｎｅｌＬｉｓｔ等を専用シグナリングによりＵＥに送信する。該専用シグナリングは、無線リソースコントロール（Ｒａｄｉｏ  Ｒｅｓｏｕｒｃｅ  Ｃｏｎｔｒｏｌ、ＲＲＣ）メッセージ、例えばＲＲＣ接続再設定（ＲＲＣ  Ｃｏｎｎｅｃｔｉｏｎ  Ｒｅｃｏｎｆｉｇｕｒａｔｉｏｎ）メッセージ、または他の追加エアインタフェースメッセージであってもよい。
【００３９】
ステップＳ３０４：ＵＥはメッセージを受信した後メッセージに指示されるＷＬＡＮ信号を測定し、測定結果を３ＧＰＰアクセスネットワークのネットワークエレメントに報告する。
【００４０】
ステップＳ３０６：測定結果が一定の閾値を満たすと、３ＧＰＰアクセスネットワークのネットワークエレメントは判定した後、ＵＥがＷＬＡＮにアクセスするように指示することができる。
【００４１】
一つの以上の使用可能なＷＬＡＮネットワークがあり、かつ３ＧＰＰアクセスネットワークのネットワークエレメントは各ＷＬＡＮネットワークの負荷状況、各ＷＬＡＮアクセスポイントの優先度等の情報をすでに知ったと、該判定は３ＧＰＰアクセスネットワークのネットワークエレメントが上記情報を総合ソートして判定した後確定された一つ結果であってもよく、つまりアクセスネットワークは総合条件が最適なＷＬＡＮネットワーク識別子をＵＥに指示してアクセスさせる。
【００４２】
ステップＳ３０８：従来のＷＬＡＮアクセスフローを利用して、ＵＥとＷＬＡＮアクセスポイントの間に関連を作成する。
【００４３】
ステップＳ３１０：関連作成が成功した後、ＵＥはＷＬＡＮにアクセスするこの情報を３ＧＰＰアクセスネットワークのネットワークエレメントに通知することができ、該情報はＲＲＣ接続再設定完成（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージ、または他の、ステップＳ３０２の追加エアインタフェースメッセージに対応するフィードバックメッセージに携帯されてもよい。
好ましい実施例三
図４は、本発明の好ましい実施例三によるインタラクションフローチャートであり、図４に示すように、ＷＬＡＮアクセスポイント１は３ＧＰＰアクセスネットワークのネットワークエレメントがデータストリーミングを行うことができるＷＬＡＮネットワークであり、ＷＬＡＮアクセスポイント２は３ＧＰＰアクセスポイントネットワークエレメントがデータストリーミングを行うことができないＷＬＡＮネットワークである。本好ましい実施例三は、以下のステップＳ４０２〜ステップＳ４１２を含む。
ステップＳ４０２：ＵＥは走査によりＷＬＡＮアクセスポイント２を見出し、かつ該ＷＬＡＮと関連を作成し、該ＷＬＡＮにアクセスしてデータ伝送を行う。
【００４４】
ステップＳ４０４：ＵＥは上層サービスニーズに応じて常駐する３ＧＰＰセル中にサービス接続を作成し、従って、ＵＥは正常のＲＲＣ接続作成過程により３ＧＰＰアクセスポイントネットワークエレメントと接続負荷を作成する。
【００４５】
ステップＳ４０６：３ＧＰＰアクセスネットワークのネットワークエレメントはたとえばデータストリーミング等のニーズがある時、該ネットワークエレメントはＵＥが迅速に指定ＷＬＡＮアクセスポイント１にアクセスすることを補助できる情報、例えばＳＳＩＤおよびＣｈａｎｎｅｌＬｉｓｔ等を専用シグナリング（例えばＲＲＣ  Ｃｏｎｎｅｃｔｉｏｎ  Ｒｅｃｏｎｆｉｇｕｒａｔｉｏｎメッセージ）ＵＥに送信する。
【００４６】
ステップＳ４０８：ＵＥは該専用シグナリングを受信した後、メッセージ中に指示されるＷＬＡＮアクセスポイント１信号を測定する。
【００４７】
ステップＳ４１０：ＵＥは測定結果がＷＬＡＮアクセス条件を満たすと判断し、ＷＬＡＮアクセス補助情報中にＷＬＡＮ負荷状況等の情報を携帯（またはＵＥはこの前他のメッセージにより分かった）していると、ＵＥは上記情報に基づいて総合判定を行う。
【００４８】
明らかに、ＷＬＡＮ負荷状況およびＷＬＡＮアクセスポイント優先度等の類似情報は一つ以上の使用可能なＷＬＡＮネットワークがある時（例えばＷＬＡＮアクセスポイント１、ＷＬＡＮアクセスポイント３はいずれも３ＧＰＰアクセスネットワークのネットワークエレメントがデータストリーミングを行うことができるＷＬＡＮネットワークである）により適用できる。
【００４９】
ステップＳ４１２：従来のＷＬＡＮフローに基づいて、ＵＥはＷＬＡＮアクセスポイント２からＷＬＡＮアクセスポイント１にハンドオーバしてアクセスする。
【００５０】
ただし、図面のフローチャートに示すステップは例えば一組のコンピュータ実行可能命令のコンピュータシステム中に実行されることができ、かつ、フローチャート中に論理的順序を示したが、いくつかの場合で、ここでの順序と異なる順序で示したまたは記述したステップを実行することができる。
【００５１】
本発明の実施例はネットワークアクセス装置を提供しており、該ネットワークアクセス装置は、ＵＥに応用されてもよく、上記ネットワークアクセス方法を達成するためのものである。図５は、本発明の実施例によるネットワークアクセス装置の構造ブロック図であり、図５に示すように、受信モジュール５１、処理モジュール５２およびアクセスモジュール５３を含み、以下、その構造を詳細に記述する。
【００５２】
受信モジュール５１は、３ＧＰＰアクセスネットワークによって送信されたＷＬＡＮアクセス補助情報を受信するように設置され、処理モジュール５２は、受信モジュール５１に接続され、受信モジュール５１が受信したＷＬＡＮアクセス補助情報に基づいて測定およびアクセス判定を行い、判定結果を取得するように設置され、アクセスモジュール５３は、処理モジュール５２に接続され、処理モジュール５２が処理して得た判定結果に基づいてＷＬＡＮにアクセスするように設置される。
【００５３】
図６は本発明の好ましい実施例によるネットワークアクセス装置の構造ブロック図一であり、図６に示すように、受信モジュール５１は、システムメッセージまたは専用シグナリングにより３ＧＰＰアクセスネットワークによって送信された情報を受信するように設置される受信サブモジュール５１１を含む。
【００５４】
図７は、本発明の好ましい実施例によるネットワークアクセス装置の構造ブロック図二であり、図７に示すように、処理モジュール５２は、測定サブモジュール５２１および判定サブモジュール５２２を含み、以下、その構造を詳細に記述する。
【００５５】
測定サブモジュール５２１は、ＷＬＡＮアクセス補助情報に基づいてＷＬＡＮの信号品質を測定するように設置され、判定サブモジュール５２２は、測定サブモジュール５２１に接続され、測定サブモジュール５２１が測定したＷＬＡＮの信号品質および取得したＷＬＡＮアクセス条件アクセスに基づいて判定を行い、判定結果を取得するように設置される。
【００５６】
好ましくは、ＷＬＡＮアクセス条件は一つの信号品質閾値であり、該閾値はネットワーク側によりＵＥに設定されまたはＵＥがすでにプリセットされ、ＷＬＡＮアクセス条件はＵＥが取得した情報アイテムに基づいて総合ソートを行った後判定して得られ、そのうち情報アイテムはＷＬＡＮの信号品質測定結果、ＷＬＡＮ負荷情報、ＷＬＡＮアクセスポイント優先度の少なくとも一つを含む。
【００５７】
ただし、装置実施例に記述したネットワークアクセス装置は上記の方法実施例に対応し、その具体的な達成過程は方法実施例中において詳細説明を行ったため、ここで繰り返して説明しない。
【００５８】
以上のように、本発明による上記実施例は、ネットワークアクセス方法および装置を提供する。本発明の実施例は３ＧＰＰアクセスネットワークによりＵＥに該ＷＬＡＮにアクセスするためのＷＬＡＮアクセス補助情報を提供し、該ＵＥが該ＷＬＡＮにアクセスして後続のデータ共同伝送および／またはサービスを取得することを加速して、ユーザーエクスペリエンスを向上させる。
【００５９】
明らかに、当業者は、上記の本発明の各モジュールまたは各ステップを汎用の算出手段で達成することができ、それは単一の算出手段に集中されてもよく、または複数の算出手段からなるネットワーク上に分布してもよいと理解すべきであり、選択肢として、それらを算出手段が実行可能なプログラムコードで達成することができ、これによって、それらをメモリ装置に記憶して算出手段で実行し、またはそれらをそれぞれ各ＩＣモジュールに作成し、またはそれらのうちの複数のモジュールまたはステップを単一のＩＣモジュールに作成して達成することができる。このように、本発明はあらゆる特定形式のハードウェアとソフトウェアの組合せに限らない。
【００６０】
以上は本発明の好ましい実施例に過ぎず、本発明を制限するものではなく、当業者にとって、本発明は、各種の変更と変形を行うことができる。本発明の趣旨と原則の内に行ったあらゆる改定、同等交換、改良などは、いずれも本発明の保護範囲内に含まれる。
【産業上の利用可能性】
【００６１】
本発明の実施例は３ＧＰＰアクセスネットワークによりＵＥに該ＷＬＡＮにアクセスするための情報を提供し、該ＵＥが該ＷＬＡＮにアクセスして後続のデータ共同伝送および／またはサービスを取得することを加速し、ユーザーエクスペリエンスを向上させる。
【図１】
2015518682.tif 000003
【図２】
2015518682.tif 000004
【図３】
2015518682.tif 000005
【図４】
2015518682.tif 000006
【図５】
2015518682.tif 000007
【図６】
2015518682.tif 000008
【図７】
2015518682.tif 000009
【国際調査報告】
2015518682.tif 000010
2015518682.tif 000011
2015518682.tif 000012
2015518682.tif 000013